【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
２以上の異なるタイプの燃料を含む燃料源と、
第１の物質組成を有する第１の燃料を前記燃料源から受け入れるよう構成された外側流路を形成する外側ノズルと、前記第１の物質組成とは異なる第２の物質組成を有する第２の燃料を前記燃料源から受け入れるよう構成された内側流路を形成する壁を含む内側ノズルであって、前記外側ノズルの前記外側流路が該内側流路の前記壁の外側表面に接触するように、前記外側ノズルの少なくとも一部内において少なくとも一部が入れ子状になった前記内側ノズルと、を含むノズルアセンブリと、
火炎効果を生成すべく、前記第１及び第２の燃料の一方又は両方を受け入れて点火するように構成された点火機構と、
を備えることを特徴とするシステム。
【請求項２】
前記燃料源は、前記第１の燃料を第１の圧力で供給し、前記第２の燃料を前記第１の圧力とは異なる第２の圧力で供給するように構成される、
請求項１に記載のシステム。
【請求項３】
１つ以上のアクチュエータ及び自動化コントローラを備え、該自動化コントローラは、前記１つ以上のアクチュエータを、
前記２以上の異なるタイプから前記第１の燃料を選択し、
前記２以上の異なるタイプから前記第２の燃料を選択し、
前記外側ノズルを前記燃料源の前記第１の燃料と流体的に結合することによって、前記外側ノズルに前記第１の燃料を提供し、
前記第１の燃料の第１の供給圧を調整し、
前記内側ノズルを前記燃料源の前記第２の燃料と流体的に結合することによって、前記内側ノズルに前記第２の燃料を提供し、
前記第２の燃料の第２の供給圧を調整する、
ように動作させるよう構成される、
請求項１に記載のシステム。
【請求項４】
前記自動化コントローラは、前記火炎効果の見た目の美しさに影響を与える要因をモニタする少なくとも１つのセンサからの入力に基づいて、前記１つ以上のアクチュエータを動作させるように構成される、
請求項３に記載のシステム。
【請求項５】
少なくとも１つのアクチュエータと、
前記少なくとも１つのアクチュエータの動作を制御するように構成された自動化コントローラと、
前記火炎効果の見た目の美しさに影響を与える要因に関するデータを前記自動化コントローラに提供するように構成された少なくとも１つの入力装置と、
を備え、
前記自動化コントローラは、前記データに基づいて前記少なくとも１つのアクチュエータの動作を制御するように構成される、
請求項１に記載のシステム。
【請求項６】
前記火炎効果の見た目の美しさに影響を与える前記要因は、環境の明るさ、火炎の明るさ、天候、時刻、湿度、風況又はこれらの組み合わせを含む、
請求項５に記載のシステム。
【請求項７】
前記少なくとも１つの入力装置は、前記火炎効果の見た目の美しさに影響を与える前記要因を測定するように構成されたセンサ、前記火炎効果の見た目の美しさに影響を与える前記要因に関する情報を提供するように構成された通信システム、又はこれらの組み合わせを含む、
請求項５に記載のシステム。
【請求項８】
前記少なくとも１つのアクチュエータは、前記内側ノズル及び前記外側ノズルの一方又は両方を通る燃料流の制御、前記システムの前記点火機構の制御、又はこれらの組み合わせを行うように動作する、
請求項５に記載のシステム。
【請求項９】
前記第１の燃料組成は、プロパン、天然ガス、ブタン、エタン、及び水素のうちの１つを含み、前記第２の燃料組成は、プロパン、天然ガス、ブタン、エタン、及び水素のうちの前記第１の燃料組成とは異なる１つを含む、
請求項１に記載のシステム。
【請求項１０】
システムであって、
前記システムの外部から見える火炎効果を生成するよう構成されたノズルアセンブリであって、該ノズルアセンブリの端部に近接して配置された点火機構を含む前記ノズルアセンブリと、
燃料源から前記ノズルアセンブリの第１のノズル及び第２のノズルへの２以上の燃料の燃料流を、前記火炎効果の見た目の美しさに影響を与える、前記システムの周囲の環境要因に少なくとも部分的に基づき制御すべく、前記燃料源を調整するよう構成され、且つ、前記２以上の燃料が前記点火機構を通り過ぎて該２以上の燃料を前記点火機構にて点火させるべく、前記燃料源を調整して前記燃料流を制御するよう構成された自動化コントローラと、
を備え、
前記第２のノズルは、該第２のノズルの流路を通って延びる長手方向軸を含み、前記第１のノズルは、前記第２のノズルの前記長手方向軸に対して９０度でない角度で前記第２のノズルの側壁に入り込み、また、前記第１のノズルは、該第１のノズルが前記第２のノズルの前記長手方向軸に平行な追加の長手方向軸を有する長手方向部を含むように、前記第２のノズル内に位置する湾曲部を含む、
ことを特徴とするシステム。
【請求項１１】
前記第１のノズルの追加の流路を形成する壁の外側表面が前記第２のノズルの流路に接触するように、前記第１のノズルの少なくとも一部は、前記第２のノズルの少なくとも一部内に配置される、
請求項１０に記載のシステム。
【請求項１２】
前記第１のノズルの前記一部は、前記第２のノズルの前記一部に対して実質的に軸対称、平面対称、又はこれらの両方である、
請求項１１に記載のシステム。
【請求項１３】
前記燃料源の前記２以上の燃料は、２以上の異なるタイプの燃料を含み、前記自動化コントローラは、前記２以上の異なるタイプの燃料のうちの第１のタイプの燃料と前記第１のノズルとの流体結合と、前記２以上の異なるタイプの燃料のうちの第２のタイプの燃料と前記第２のノズルとの流体結合とを指示するように構成され、前記第１のタイプの燃料、前記第２のタイプの燃料、又はこれらの両方は、前記システムの周囲の前記環境要因に基づいて前記自動化コントローラによって決定される、
請求項１０に記載のシステム。
【請求項１４】
前記環境要因を測定して前記自動化コントローラに測定結果を提供するように構成されたセンサを備え、前記自動化コントローラは、前記センサから受け取られた前記測定結果に基づいて前記燃料源を調整するように構成される、
請求項９に記載のシステム。
【請求項１５】
前記自動化コントローラに前記環境要因の値を提供するように構成されたインターネットシステムを備え、前記自動化コントローラは、前記インターネットシステムから受け取られた前記値に基づいて前記燃料源を調整するように構成される、
請求項９に記載のシステム。
【請求項１６】
前記環境要因は、環境の明るさ、火炎の明るさ、天候、時刻、湿度、風況又はこれらの組み合わせを含む、
請求項９に記載のシステム。
【請求項１７】
前記燃料源は、２以上の別個の燃料タイプを含み、該２以上の別個の燃料タイプは、プロパン、天然ガス、ブタン、エタン、水素、或いは、通常は標準温度又は圧力において気相状態で存在する他の可燃性物質を含む、
請求項９に記載のシステム。
【請求項１８】
システムの動作方法であって、
前記システムの周囲の要因を決定するステップと、
２以上の別個の燃料タイプを含む燃料源からの第１のタイプの燃料を第１のノズルと流体的に結合し、且つ、前記燃料源からの第２のタイプの燃料を第２のノズルと流体的に結合するステップと、
を含み、
前記第１のタイプの燃料は第１の物質組成を有し、前記第２のタイプの燃料は前記第１の物質組成とは異なる第２の物質組成を有し、
更に、
前記第１のタイプの燃料を前記第１のノズルに第１の圧力で通過させ、且つ、前記第２のタイプの燃料を前記第２のノズルに第２の圧力で通過させるステップと、
前記第１のタイプの燃料及び前記第２のタイプの燃料を、点火機構上を通過させることにより、前記第１のタイプの燃料及び前記第２のタイプの燃料が発火して前記システムの外部から見える火炎効果を生じるようにするステップと、
を含むことを特徴とする方法。
【請求項１９】
前記第１のタイプの燃料、前記第２のタイプの燃料、前記第１の圧力、前記第２の圧力、又はこれらの組み合わせを、自動化コントローラが受け取った前記要因の測定結果又は値に基づき、該自動化コントローラによって決定するステップを含む、
請求項１８に記載の方法。
【請求項２０】
前記第１のノズルは、前記第２のノズルの少なくとも一部内において入れ子状になった一部を少なくとも含む、
請求項１８に記載の方法。
【請求項２１】
前記第１のノズル及び前記第２のノズルが入れ子状になった第３のノズルに第３のタイプの燃料を通過させるステップを含み、前記第３のタイプの燃料は前記第１及び第２の物質組成とは異なる第３の物質組成を有する、
請求項１８に記載の方法。
【請求項２２】
システムであって、
外側ハウジング構造と、
内部に２以上の流体が流れ、出口からの火炎効果の生成を促進するように構成されたノズルアセンブリであって、前記ノズルアセンブリが前記外側ハウジング構造内に少なくとも部分的に隠れ、且つ前記ノズルアセンブリの端部が前記外側ハウジング構造の開口部に近接して配置されるように、前記ノズルアセンブリは前記外側ハウジング構造内に配置され、また、前記外側ハウジング構造の前記開口部は、前記火炎効果を該外側ハウジング構造の外部においてさらすように構成される、前記ノズルアセンブリと、
流体源から前記ノズルアセンブリへの前記２又は３以上の流体の流体流を前記火炎効果の望ましい美的特徴に基づき制御すべく、前記流体源を調整するよう構成された自動化コントローラと、
を備えることを特徴とするシステム。